【手続補正書】
【提出日】平成23年10月12日(2011.10.12)
【手続補正１】
【補正対象書類名】明細書
【補正対象項目名】０００７
【補正方法】変更
【補正の内容】
【０００７】
上記目的を達成するために、本発明の撮像装置は、フォーカスレンズを介して入射する被写体の光学像を撮影して電気信号に変換する撮像素子を有し、該変換された電気信号を画像信号として順次出力する撮像手段と、前記画像信号を表示する表示手段と、前記画像信号から、画像の焦点状態を示す焦点評価値を求める取得手段と、前記画像信号の内、予め設定された数のコマおきに得られる第１の画像信号を前記表示手段により表示し、前記第１の画像信号のコマを除くコマで得られる第２の画像信号を前記取得手段による焦点評価値の取得に用いるように制御する制御手段と、前記取得手段により求められた焦点評価値に基づいて、合焦状態とするための前記フォーカスレンズの駆動方向を判定し、該判定された駆動方向を前記表示手段に表示させる判定手段とを有し、前記第２の画像信号のコマでの撮影のために、コマごとに異なるフォーカスレンズ位置に前記フォーカスレンズを駆動して前記被写体の撮影を行い、次の前記第１の画像信号のコマの撮影のために、直前の前記第１の画像信号のコマを撮影したフォーカスレンズ位置の方向に前記フォーカスレンズを駆動して前記被写体の撮影を行う。
【手続補正２】
【補正対象書類名】明細書
【補正対象項目名】０００８
【補正方法】変更
【補正の内容】
【０００８】
また、フォーカスレンズを介して入射する被写体の光学像を撮影して撮像素子により電気信号に変換し、該変換された電気信号を画像信号として順次出力する撮像手段と、前記画像信号を表示する表示手段とを有する撮像装置の本発明の制御方法は、制御手段により、前記画像信号の内、予め設定された数のコマおきに得られる第１の画像信号を前記表示手段に表示する表示工程と、取得手段が、前記画像信号の内、前記第１の画像信号のコマを除くコマで得られる第２の画像信号から、画像の焦点状態を示す焦点評価値を求める取得工程と、判定手段が、前記取得工程で求められた焦点評価値に基づいて、合焦状態とするための前記フォーカスレンズの駆動方向を判定し、該判定された駆動方向を前記表示手段に表示させる判定工程とを有し、前記取得工程において、前記第２の画像信号のコマでの撮影のために、コマごとに異なるフォーカスレンズ位置に前記フォーカスレンズを移動して前記被写体の撮影を行い、前記表示工程において、次の前記第１の画像信号のコマの撮影のために、直前の前記第１の画像信号のコマを撮影したフォーカスレンズ位置の方向に前記フォーカスレンズを駆動して前記被写体の撮影を行う。
【手続補正３】
【補正対象書類名】明細書
【補正対象項目名】００２２
【補正方法】変更
【補正の内容】
【００２２】
ステップＳ２０３では顔検出処理を行う。なお、顔検出処理の詳細については図３を参照して後述する。ステップＳ２０４では絞り・シャッタ１０５や露光時間を制御してＥＶＦ１２８に表示される画像の明るさが適正になるようＡＥ動作を行う。ステップＳ２０５では光源の色温度によらずＥＶＦ１２８に表示される画像が適切な色バランスになるようオートホワイトバランス（ＡＷＢ）動作を行う。ステップＳ２０６では撮像素子１１２から読み出した画像信号に画像処理プロセッサ１１５を使って所定の処理を施してＥＶＦ１２８へ表示する。ステップＳ２０７ではＭＦ処理を行う。このステップＳ２０７で行われるＭＦ処理の詳細については、後述する。
【手続補正４】
【補正対象書類名】明細書
【補正対象項目名】００５５
【補正方法】変更
【補正の内容】
【００５５】
まず図５のステップＳ４０５で説明したように、１コマ目で露光された画像データ（第１の画像信号）を撮像素子１１２から読み出し、ＥＶＦ１２８に表示するための画像処理を施す。このときのフォーカスレンズ１０１の位置は図５のステップＳ４０９で記憶する基準位置である。次に２コマ目では焦点評価値を取得する位置にフォーカスレンズ１０１を駆動する。そしてこのコマで露光された画像データ（第２の画像信号）を撮像素子１１２から読み出して焦点評価値を生成する。３コマ目と４コマ目は２コマ目と同様の処理をする。この１コマ目から４コマ目までを合計した時間は、撮像素子１１２の駆動モードが通常のＥＶＦ用である場合の１コマと同じ時間になっている。つまり、上述したようにＥＶＦ用で毎秒３０コマ、ＭＦ用で毎秒１２０コマの場合、ＭＦ用の４コマでＥＶＦ用の１コマと同じ時間となるため、焦点評価値生成用に用いることのできるコマ数は３コマである。従って、焦点評価値取得カウンタＮは３以下であれば良いことになる。別の例として、例えばＥＶＦ用で毎秒３０コマ、ＭＦ用で毎秒１５０コマの場合、ＭＦ用の５コマでＥＶＦ用の１コマと同じ時間となる。この場合、焦点評価値生成用に用いることのできるコマ数は４コマであるため、焦点評価値取得カウンタＮは４以下であれば良いことになる。
【手続補正５】
【補正対象書類名】明細書
【補正対象項目名】００５６
【補正方法】変更
【補正の内容】
【００５６】
次に５コマ目では、フォーカスレンズ１０１を図５のステップＳ４０９で記憶した基準位置に駆動する。１コマ目と同様に、この位置で露光された画像データを撮像素子１１２から読み出し、ＥＶＦ１２８に表示するための画像処理を施す。６コマ目から８コマ目は、２コマ目から４コマ目と同様の処理を行う。
【手続補正６】
【補正対象書類名】明細書
【補正対象項目名】００７８
【補正方法】変更
【補正の内容】
【００７８】
図１５は図１４のステップＳ１３０８における合焦位置接近判定を説明するフローチャートである。まずステップＳ１４０１では図１４のステップＳ１３０４で記憶したフォーカスレンズ１０１の位置においてステップＳ１３０５で取得した焦点評価値の関係を調べる。そして、焦点評価値にピークを形成していればステップＳ１４０２へ、形成していなければステップＳ１４０３へ進む。ステップＳ１４０２では図１４のステップＳ１３０９で表示する合焦位置接近判定情報を「合焦状態」としてワークメモリ１２６に記憶する。
【手続補正７】
【補正対象書類名】特許請求の範囲
【補正対象項目名】全文
【補正方法】変更
【補正の内容】
【特許請求の範囲】
【請求項１】
フォーカスレンズを介して入射する被写体の光学像を撮影して電気信号に変換する撮像素子を有し、該変換された電気信号を画像信号として順次出力する撮像手段と、
前記画像信号を表示する表示手段と、
前記画像信号から、画像の焦点状態を示す焦点評価値を求める取得手段と、
前記画像信号の内、予め設定された数のコマおきに得られる第１の画像信号を前記表示手段により表示し、前記第１の画像信号のコマを除くコマで得られる第２の画像信号を前記取得手段による焦点評価値の取得に用いるように制御する制御手段と、
前記取得手段により求められた焦点評価値に基づいて、合焦状態とするための前記フォーカスレンズの駆動方向を判定し、該判定された駆動方向を前記表示手段に表示させる判定手段とを有し、
前記第２の画像信号のコマでの撮影のために、コマごとに異なるフォーカスレンズ位置に前記フォーカスレンズを駆動して前記被写体の撮影を行い、次の前記第１の画像信号のコマの撮影のために、直前の前記第１の画像信号のコマを撮影したフォーカスレンズ位置の方向に前記フォーカスレンズを駆動して前記被写体の撮影を行うことを特徴とする撮像装置。
【請求項２】
前記駆動方向の表示は、無限遠の方向、至近端の方向、合焦状態、駆動方向を判定できなかったことを示す表示のうちの少なくとも２つを含むことを特徴とする請求項１に記載の撮像装置。
【請求項３】
前記駆動方向の判定結果に応じて、前記駆動方向の表示の形態を変えることを特徴とする請求項２に記載の撮像装置。
【請求項４】
前記第１の画像信号のコマにおける前記撮像素子の露光時間よりも、前記第２の画像信号のコマにおける前記撮像素子の露光時間を短くしたことを特徴とする請求項１乃至３のいずれか１項に記載の撮像装置。
【請求項５】
前記フォーカスレンズをマニュアルで駆動する指示を入力する操作手段を更に有し、
前記制御手段による制御を、前記操作手段からの指示に基づく前記フォーカスレンズの駆動が終了した後に行うことを特徴とする請求項１乃至４のいずれか１項に記載の撮像装置。
【請求項６】
前記制御手段は、更に、前記操作手段からの指示に基づく前記フォーカスレンズの駆動中に、前記撮像手段から得られる各コマの画像信号から前記取得手段により焦点評価値を求めるように制御し、
前記撮像装置は、前記各コマの画像信号から得られた前記焦点評価値に基づいて、前記フォーカスレンズの駆動方向が合焦状態に接近する方向であるかどうかを判定し、該判定の結果を前記表示手段に表示させる手段を更に有することを特徴とする請求項５に記載の撮像装置。
【請求項７】
前記取得手段により求められた焦点評価値に基づいて、前記フォーカスレンズの合焦位置を判定する手段と、
被写体の本撮影の時の前記フォーカスレンズの位置として、前記判定された合焦位置と、前記操作手段からの指示に基づいて前記フォーカスレンズの駆動が終了した位置の、両方またはいずれか一方を設定する手段と
を更に有することを特徴とする請求項５に記載の撮像装置。
【請求項８】
フォーカスレンズを介して入射する被写体の光学像を撮影して撮像素子により電気信号に変換し、該変換された電気信号を画像信号として順次出力する撮像手段と、前記画像信号を表示する表示手段とを有する撮像装置の制御方法であって、
制御手段により、前記画像信号の内、予め設定された数のコマおきに得られる第１の画像信号を前記表示手段に表示する表示工程と、
取得手段が、前記画像信号の内、前記第１の画像信号のコマを除くコマで得られる第２の画像信号から、画像の焦点状態を示す焦点評価値を求める取得工程と、
判定手段が、前記取得工程で求められた焦点評価値に基づいて、合焦状態とするための前記フォーカスレンズの駆動方向を判定し、該判定された駆動方向を前記表示手段に表示させる判定工程とを有し、
前記取得工程において、前記第２の画像信号のコマでの撮影のために、コマごとに異なるフォーカスレンズ位置に前記フォーカスレンズを移動して前記被写体の撮影を行い、
前記表示工程において、次の前記第１の画像信号のコマの撮影のために、直前の前記第１の画像信号のコマを撮影したフォーカスレンズ位置の方向に前記フォーカスレンズを駆動して前記被写体の撮影を行うことを特徴とする撮像装置の制御方法。